(57)【要約】【課題】録画番組に関する情報を分かり易く知らせることが可能な録画再生方法を提供すること。【解決手段】この発明の一実施形態に係る録画再生方法は、番組を録画し、前記録画番組の再生履歴情報を管理し、前記録画番組の再生指示に対応して、前記録画番組の前記再生履歴情報を表示するための表示情報を出力し、前記録画番組の再生情報を出力する。【選択図】      図４
2010062842.tif 000002
【特許請求の範囲】
【請求項１】
番組を録画する録画制御手段と、
前記録画番組の再生履歴情報を管理する管理手段と、
前記録画番組の再生指示に対応して、前記録画番組の前記再生履歴情報を表示するための表示情報を出力し、前記録画番組の再生情報を出力する再生制御手段と、
を備えたことを特徴とする録画再生装置。
【請求項２】
前記管理手段は、前記番組の録画に対応して未再生情報を含む前記再生履歴情報を記録し、前記録画番組の再生に対応して前記再生履歴情報に含まれた前記未再生情報を再生済み情報へ更新し、
前記再生制御手段は、前記録画番組の再生指示に対応して、前記録画番組の前記再生履歴情報に前記未再生情報が含まれている場合、前記未再生情報を表示するための表示情報を出力する、
ことを特徴とする請求項１に記載の録画再生装置。
【請求項３】
前記録画制御手段は、前記番組の録画予約をグループ化して登録し、前記録画予約に基づき前記番組を録画し、前記録画番組のうちの最新の録画番組を残し、最新の録画番組以外の録画番組を削除し、
前記再生制御手段は、前記録画番組の再生指示に対応し、前記最新の録画番組の前記再生履歴情報を表示するための表示情報を出力し、前記最新の録画番組の再生情報を出力する、
ことを特徴とする請求項１に記載の録画再生装置。
【請求項４】
番組を録画する録画制御手段と、
前記録画番組の録画状態情報を管理する管理手段と、
前記録画番組の再生指示に対応して、前記録画番組の前記録画状態情報を表示するための表示情報を出力し、前記録画番組の再生情報を出力する再生制御手段と、
を備えたことを特徴とする録画再生装置。
【請求項５】
前記管理手段は、前記番組の録画中に対応して録画中情報を含む前記録画状態情報を記録し、前記番組の録画完了に対応して前記録画状態情報に含まれた前記録画中情報を録画完了情報へ更新し、
前記再生制御手段は、前記録画番組の再生指示に対応して、前記録画番組の前記録画状態情報に前記録画中情報が含まれている場合、前記録画中情報を表示するための表示情報を出力する、
ことを特徴とする請求項４に記載の録画再生装置。
【請求項６】
前記管理手段は、前記番組の録画に対応して未再生情報を含む前記再生履歴情報を記録し、前記録画番組の再生に対応し前記再生履歴情報に含まれた前記未再生情報を再生済み情報へ更新し、
前記再生制御手段は、前記番組の録画中における前記番組の再生指示に対応して録画中情報を表示するための第１の表示情報を出力し、前記番組の録画完了且つ前記録画番組の未再生状態における前記録画番組の再生指示に対応して未再生情報を表示するための第２の表示情報を出力し、前記録画番組の録画完了且つ前記録画番組の再生済み状態における前記録画番組の再生指示に対応して再生済み情報を表示するための第３の表示情報を出力する、
ことを特徴とする請求項５に記載の録画再生装置。
【請求項７】
受信放送信号から、前記番組のチャンネルの放送信号を選択する選択手段を備え、
前記録画制御手段は、前記選択された放送信号を録画する、
ことを特徴とする請求項２に記載の録画再生装置。
【請求項８】
番組を録画し、
前記録画番組の再生履歴情報を管理し、
前記録画番組の再生指示に対応し、前記録画番組の前記再生履歴情報を表示するための表示情報を出力し、前記録画番組の再生情報を出力する、
ことを特徴とする録画再生方法。
【発明の詳細な説明】
【技術分野】
【０００１】
本発明は、例えば、番組の録画予約に基づき番組を録画し、録画された番組を再生する録画再生装置及び録画再生方法に関する。
【背景技術】
【０００２】
近年、デジタル放送対応の録画再生装置が普及しており、録画再生装置は録画予約に基づきデジタル放送の番組をハードディスク等へ録画することができる。また、録画再生装置は、ハードディスク等に録画された複数番組のタイトルを一覧表示し、一覧表示された複数番組のタイトルの中から選択されたタイトルの番組を再生することもできる。
【０００３】
また、録画された番組の再生履歴を管理する技術が提案されている（特許文献１参照）。例えば、録画番組一覧表の中から、複数の連続番組の中の所定の連続番組の再生が指定されたとき、この再生指定された所定番組より前に録画された未再生の連続番組があれば、未再生の連続番組がある旨を表示する技術が提案されている。
【特許文献１】特開２００３−３１９３０８号公報
【発明の開示】
【発明が解決しようとする課題】
【０００４】
さらに、近年では、簡単操作で最新の番組（例えば最新のニュース番組）だけをいつでも視聴可能とする機能を搭載した録画再生装置が提案されている。最新のニュース番組だけをいつでも視聴可能にする例について説明する。最初に、ユーザは、視聴希望の複数のニュース番組の録画予約を設定する。このとき、ユーザは、これら複数のニュース番組の録画予約のグループ化を指定する。これに対応して、録画再生装置は、ユーザにより設定された複数のニュース番組の録画予約をグループ化して登録し、このグループ化して登録された録画予約に基づき複数のニュース番組を順次録画する。さらに、録画再生装置は、グループ化された録画予約に基づき録画されたニュース番組のうちの最新のニュース番組だけを残し、最新のニュース番組以外の録画済みニュース番組を削除する。これにより、録画再生装置は、ユーザからの特殊再生の指示に対応し、残された最新のニュース番組を再生する。このような録画再生処理を最新番組録画再生処理と称する。
【０００５】
上記した最新番組録画再生処理では、録画番組一覧表の表示が省略され、簡単操作に対応して最新番組の再生が開始される。このため、録画された最新番組に関する情報を知る機会がない。例えば、録画された最新番組は、未再生の番組なのか、再生済みの番組なのかを知る機会がない。或いは、この最新番組が、録画中の番組であったとしても、録画中であることも分かり難い。
【０００６】
本発明の目的は、録画番組に関する情報を分かり易く知らせることが可能な録画再生装置及び録画再生方法を提供することにある。
【課題を解決するための手段】
【０００７】
この発明の一実施形態に係る録画再生装置は、番組を録画する録画制御手段と、前記録画番組の再生履歴情報を管理する管理手段と、前記録画番組の再生指示に対応して、前記録画番組の前記再生履歴情報を表示するための表示情報を出力し、前記録画番組の再生情報を出力する再生制御手段とを備える。
【０００８】
この発明の一実施形態に係る録画再生方法は、番組を録画し、前記録画番組の再生履歴情報を管理し、前記録画番組の再生指示に対応して、前記録画番組の前記再生履歴情報を表示するための表示情報を出力し、前記録画番組の再生情報を出力する。
【発明の効果】
【０００９】
本発明によれば、録画番組に関する情報を分かり易く知らせることが可能な録画再生装置及び録画再生方法を提供できる。
【発明を実施するための最良の形態】
【００１０】
以下、図面を参照し、本発明の実施形態について説明する。
【００１１】
図１は、この発明の一実施形態に係るデジタルテレビジョン受像機（録画再生装置）１１の外観と、このデジタルテレビジョン受像機１１を中心として構成されるネットワークシステムの一例を概略的に示している。
【００１２】
すなわち、デジタルテレビジョン受像機１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作モジュール１６、リモートコントローラ１７から送信される操作情報を受ける受光モジュール１８等が設置されている。
【００１３】
また、このデジタルテレビジョン受像機１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１４】
さらに、このデジタルテレビジョン受像機１１には、例えば契約情報等の記録された半導体メモリを内蔵する第２のメモリカード［ＩＣ（integrated circuit）カード］２０が着脱可能となっており、この第２のメモリカード２０に対して情報の記録再生が行なわれるようになっている。
【００１５】
また、このデジタルテレビジョン受像機１１は、ＬＡＮ（local area network）端子２１、第１のＨＤＭＩ端子２２、第２のＨＤＭＩ端子２３、ＵＳＢ（universal serial bus）端子２４およびｉ．ＬＩＮＫ端子２５を備えている。
【００１６】
ＬＡＮ端子２１は、ＬＡＮ対応ＨＤＤ（hard disk drive）専用ポートとして使用することができる。接続されたＮＡＳ（network attached storage）であるＬＡＮ対応のＨＤＤ４６に対して、イーサネット（登録商標）により情報の記録再生を行なうために使用される。このように、ＬＡＮ対応ＨＤＤ専用ポートとしてのＬＡＮ端子２１を設けることにより、他のネットワーク環境やネットワーク使用状況等に影響されることなく、ＨＤＤ２６に対してハイビジョン画質による番組の情報記録を安定して行なうことができる。
【００１７】
また、ＬＡＮ端子２１は、イーサネット（登録商標）を用いた一般的なＬＡＮ対応ポートとして使用することも可能で、例えばハブを介して、ＬＡＮ対応のＨＤＤ、ＰＣ（personal computer）、ＨＤＤ内臓のＤＶＤレコーダ、ＮＡＳ（Network Attached Storage）等の機器を接続し、これらの機器と情報伝送を行なうために使用される。
【００１８】
第１のＨＤＭＩ端子２２は、ＡＶアンプ２７を介して、ＤＶＤレコーダ２８およびＤＶＤプレーヤ２９の外部機器が接続されている。
【００１９】
また、第２のＨＤＭＩ端子２３は、例えばハブ３０を介して、ＨＤＭＩ端子を有したＡＶアンプ３１、ＰＣ（personal computer）３２、ＨＤＤ内臓のＤＶＤレコーダ３３、ＤＶＤプレーヤ３４等の外部機器を接続し、これらの外部機器と情報伝送を行なうために使用される。第１のＨＤＭＩ端子２２および第２のＨＤＭＩ端子２３は、ＨＤＭＩ規格に準拠した形態で外部機器と情報伝送するものである。
【００２０】
さらに、この第２のＨＤＭＩ端子２３は、ハブ３０に接続されたブロードバンドルータ３５を介して、例えばインターネット等のネットワーク３２に接続し、そのネットワーク３６を介してＰＣ３７や携帯電話３８等と情報伝送を行なうために使用される。
【００２１】
ＵＳＢ端子２４は、一般的なＵＳＢ対応ポートとして使用されるもので、例えばハブ３９を介して、携帯電話４０、デジタルカメラ４１、メモリカードに対するカードリーダ／ライタ４２、ＨＤＤ４３、キーボード４４等を接続し、これらのＵＳＢ機器と情報伝送を行なうために使用される。
【００２２】
ｉ．ＬＩＮＫ端子２５は、例えばＡＶ−ＨＤＤ４５及びＤ（digital）−ＶＨＳ（video home system）４６、さらには、地上波デジタルチューナ（図示せず）等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００２４】
そして、このチューナ４９で選局された放送信号は、ＰＳＫ（phase shift keying）復調モジュール５０に供給されて、デジタルの映像信号及び音声信号に復調された後、信号処理モジュール５１に出力される。
【００２５】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００２６】
そして、このチューナ５４で選局された放送信号は、ＯＦＤＭ（orthogonal frequency division multiplexing）復調モジュール５５に供給されて、デジタルの映像信号及び音声信号に復調された後、上記信号処理モジュール５１に出力される。
【００２７】
また、上記地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調モジュール５７に供給されてアナログの映像信号及び音声信号に復調された後、上記信号処理モジュール５１に出力される。
【００２８】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００２９】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１１の外部から入力可能とするものである。
【００３０】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００３１】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力をそれぞれ画面の半分を構成するように組み合わせて出力することができる。
【００３２】
そして、グラフィック処理モジュール５８から出力されたデジタルの映像信号は、映像処理モジュール６２に供給される。この映像処理モジュール６２は、入力されたデジタルの映像信号を、前記映像表示器１４で表示可能なフォーマットのアナログ映像信号に変換した後、映像表示器１４に出力して映像表示させるとともに、出力端子６３を介して外部に導出させる。
【００３３】
また、上記音声処理モジュール５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００３４】
ここで、このデジタルテレビジョン受像機１１は、上記した各種の受信動作を含むその全ての動作を制御モジュール６５によって統括的に制御されている。この制御モジュール６５は、ＣＰＵ（central processing unit）等を内蔵しており、前記操作モジュール１６からの操作情報、または、前記リモートコントローラ１７から送出され受光モジュール１８を介して受信した操作情報を受けて、その操作内容が反映されるように各モジュールをそれぞれ制御している。
【００３５】
この場合、制御モジュール６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００３６】
また、この制御モジュール６５は、カードＩ／Ｆ（interface）６９を介して、前記第１のメモリカード１９が装着可能なカードホルダ７０に接続されている。これによって、制御モジュール６５は、カードホルダ７０に装着された第１のメモリカード１９と、カードＩ／Ｆ６９を介して情報伝送を行なうことができる。
【００３７】
また、上記制御モジュール６５は、通信Ｉ／Ｆ７３を介してＬＡＮ端子２１と接続されている。これにより、制御モジュール６５は、ＬＡＮ端子２１に接続されたＬＡＮ対応のＨＤＤ２６と、通信Ｉ／Ｆ７３を介して情報伝送を行なうことができる。この場合、制御モジュール６５は、ＤＨＣＰ（dynamic host configuration protocol）サーバ機能を有し、ＬＡＮ端子２１に接続されたＬＡＮ対応のＨＤＤ２６にＩＰ（internet protocol）アドレスを割り当てて制御している。
【００３８】
さらに、上記制御モジュール６５は、第１のＨＤＭＩ Ｉ／Ｆ７４を介して第１のＨＤＭＩ端子２２と接続されている。これにより、制御モジュール６５は、第１のＨＤＭＩ端子２２に接続された各機器（図１参照）と、第１のＨＤＭＩ Ｉ／Ｆ７４を介して情報伝送を行なうことができる。また、上記制御モジュール６５は、第２のＨＤＭＩ Ｉ／Ｆ７５を介して第２のＨＤＭＩ端子２３と接続されている。これにより、制御モジュール６５は、第２のＨＤＭＩ端子２３に接続された各機器（図１参照）と、第２のＨＤＭＩ Ｉ／Ｆ７５を介して情報伝送を行なうことができる。
【００３９】
そして、上記制御モジュール６５は、ＵＳＢ Ｉ／Ｆ７６を介して前記ＵＳＢ端子２４と接続されている。これにより、制御モジュール６５は、ＵＳＢ端子２４に接続された各機器（図１参照）と、ＵＳＢ Ｉ／Ｆ７６を介して情報伝送を行なうことができる。
【００４０】
さらに、上記制御モジュール６５は、ｉ．ＬＩＮＫ Ｉ／Ｆ７７を介してｉ．ＬＩＮＫ端子２５と接続されている。これにより、制御モジュール６５は、ｉ．ＬＩＮＫ端子２５に接続された各機器（図１参照）と、ｉ．ＬＩＮＫ Ｉ／Ｆ７７を介して情報伝送を行なうことができる。
【００４１】
さらに、上記制御モジュール６５は、ＨＤＤ７８と接続されている。これにより、制御モジュール６５は、ＨＤＤ７８に対して情報伝送を行なうことができる。
【００４２】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、方向キー１７ｉ、リンクキー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ、特殊再生キー（今すぐニュースキー）１７ｑ、ＢＳ／ＣＳ切換キー１７ｒ、地上デジタル／地上アナログ切換キー１７ｓ等が設けられている。
【００４３】
次に、デジタルテレビジョン受像機１１による通常予約録画再生処理及び最新番組録画再生処理について説明する。
【００４４】
最初に、通常予約録画再生処理の一例について説明する。ユーザは、リモートコントローラ１７（番組表キー１７ｈ）を介して電子番組ガイド（ＥＰＧ）の表示を指示する。この指示に対応して、制御モジュール６５は、電子番組ガイドの表示を制御する。つまり、信号処理モジュール５１が、放送信号に含まれた電子番組ガイドを出力し、これにより映像表示器１４に電子番組ガイドが表示される。さらに、ユーザは、リモートコントローラ１７（方向キー１７ｉ、決定キー１７ｇ）を介して、電子番組ガイド上から録画したい番組を選択し、選択した番組の録画予約を指示する（通常の録画予約の指示）。制御モジュール６５の不揮発性メモリ６８は、選択された番組の録画予約情報を登録する（通常の録画予約の登録）。この録画したい番組の選択と選択した番組の録画予約の指定とを繰り返すことにより、複数の番組の録画予約情報を登録することができる。
【００４５】
制御モジュール６５は、登録された複数の番組の録画予約情報に基づき、複数の番組の録画を制御する。即ち、制御モジュール６５は、録画予約情報に含まれた録画予約番組の放送時間になると（或いは放送時間の所定時間前になると）、この録画予約番組の放送チャンネルの選択を指示する。この指示に対応し、チューナ４９、５４、又は５２は、この録画予約番組の放送チャンネルを選択する。これにより、信号処理モジュール５１には、この録画予約番組の放送チャンネルの信号が入力される。さらに、制御モジュール６５は、信号処理モジュール５１に入力された録画予約番組の放送チャンネルの信号をＨＤＤ７８へ入力する。ＨＤＤ７８は、入力された録画予約番組の放送チャンネルの信号を記録する。この録画予約番組の放送チャンネルの選択と録画予約番組の放送チャンネルの信号の記録とを繰り返すことにより、録画予約情報に含まれた全ての録画予約番組を録画することができる。また、制御モジュール６５は、上記した録画予約番組の録画に対応して録画リストを生成し、ＨＤＤ７８が録画リストを記録する。
【００４６】
ユーザが、リモートコントローラ１７を介して録画リスト表示を指示すると、制御モジュール６５は、録画リスト表示を制御する。つまり、制御モジュール６１は、ＨＤＤ７８から録画リストを受け取り、録画リストをＯＳＤ信号生成モジュール６１へ供給する。ＯＳＤ信号生成モジュール６１は、録画リストに基づきＯＳＤ信号を生成し、ＯＳＤ信号をグラフィック処理モジュール５８へ供給する。グラフィック処理モジュール５８は、信号処理モジュール５１から供給される映像信号に、ＯＳＤ信号を重畳して出力する。或いは、グラフィック処理モジュール５８は、信号処理モジュール５１から供給される映像信号をＯＳＤ信号へ切り替えて出力する。これにより、映像表示器１４には、ＯＳＤ信号に基づく録画リストが表示される。
【００４７】
また、制御モジュール６５は、各録画番組の録画状態及び視聴履歴を管理し、録画リスト上で録画状態及び視聴履歴の表示を制御する。例えば、制御モジュール６５は、番組Ａの録画中に対応して、番組Ａの録画データに対応づけて録画中情報を含む録画状態情報を記録し、番組Ａの録画完了に対応して録画状態情報に含まれた録画中情報を録画完了情報へ更新する。また、制御モジュール６５は、番組Ａの録画に対応して、番組Ａの録画データに対応付けて未再生情報を含む再生履歴情報を記録し、録画中の番組Ａ又は録画済みの番組Ａの再生に対応して再生履歴情報に含まれた未再生情報を再生済み情報へ更新する。これにより、録画リスト上で、録画中の番組Ａのタイトルに対応して録画中情報が表示される。また、録画リスト上で、未再生の番組Ａのタイトルに対応して未再生情報が表示される。さらに、録画リスト上で、再生済みの番組Ａのタイトルに対応して再生済み情報が表示される。
【００４８】
ユーザが、リモートコントローラ１７（方向キー１７ｉ、決定キー１７ｇ）を介して録画リスト中の録画タイトルを選択すると、制御モジュール６５は、選択された録画タイトルの再生を制御する。つまり、制御モジュール６５は、選択された録画タイトルの音声データ及び映像データをＨＤＤ７８から受け取り、信号処理モジュール５１へ供給する。信号処理モジュール５１は、選択された録画タイトルの音声データを音声処理モジュール５９へ供給し、選択された録画タイトルの映像データをグラフィック処理モジュール５８へ供給する。これにより、選択された録画タイトルが再生される。
【００４９】
続いて、最新番組録画再生処理（いつでもニュース）の一例について説明する。ユーザは、リモートコントローラ１７（番組表キー１７ｈ）を介して電子番組ガイド（ＥＰＧ）の表示を指示する。この指示に対応して、制御モジュール６５は、電子番組ガイドの表示を制御する。つまり、信号処理モジュール５１が、地上デジタルテレビジョン放送信号に含まれた電子番組ガイドを出力し、これにより映像表示器１４に電子番組ガイドが表示される。さらに、ユーザは、リモートコントローラ１７（方向キー１７ｉ、決定キー１７ｇ）を介して、電子番組ガイド上から録画したい番組を選択し、選択した番組の録画予約のグループ化を指示する（いつでもニュースの録画予約の指示）。
【００５０】
ここで録画予約のグループ化について具体例を挙げて説明する。例えば、ユーザは、電子番組ガイド上から録画したいニュース番組Ａを選択し、選択したニュース番組Ａの毎日録画又は月曜日〜金曜日の録画を予約しグループ化を指示する。これにより、選択したニュース番組Ａの毎日録画又は月曜日〜金曜日の録画が一つのグループに登録される。これにより、グループ登録されたニュース番組Ａの録画再生処理は、通常予約録画再生処理とは区別される。
【００５１】
或いは、ユーザは、電子番組ガイド上から録画したいニュース番組Ａ、ニュース番組Ｂ、ニュース番組Ｃを選択し、選択したニュース番組Ａ、Ｂ、Ｃの録画を予約しグループ化を指示する。これにより、選択したニュース番組Ａ、Ｂ、Ｃの録画が一つのグループに登録される。これにより、グループ登録されたニュース番組Ａ、Ｂ、Ｃの録画再生処理は、通常予約録画再生処理とは区別される。
【００５２】
或いは、ユーザは、電子番組ガイド上から録画したいニュース番組Ａを選択し、選択したニュース番組Ａの毎日録画又は月曜日〜金曜日の録画を予約しグループ化を指示する。これにより、選択したニュース番組Ａの毎日録画又は月曜日〜金曜日の録画が一つのグループに登録される。さらに、ユーザは、電子番組ガイド上から録画したいニュース番組Ｂ、ニュース番組Ｃを選択し、選択したニュース番組Ｂ、Ｃの録画を予約しグループ化を指示する。これにより、選択したニュース番組Ａの毎日録画又は月曜日〜金曜日の録画と、選択したニュース番組Ｂ、Ｃの録画が一つのグループに登録される。これにより、グループ登録されたニュース番組Ａ、Ｂ、Ｃの録画再生処理は、通常予約録画再生処理とは区別される。
【００５３】
上記したユーザによる選択操作及びグループ化指示操作に対応し、制御モジュール６５の不揮発性メモリ６８は、選択された番組の録画予約情報をグループ化して登録する（いつでもニュースの録画予約の登録）。この録画したい番組の選択と選択した番組の録画予約のグループ化の指定とを繰り返すことにより、番組の録画予約情報をグループ化して登録することができる。つまり、グループ登録された番組の録画再生処理を、通常予約録画再生処理と区別することができる。
【００５４】
制御モジュール６５は、グループ化された録画予約情報に基づき、番組の録画を制御する。即ち、制御モジュール６５は、録画予約情報に含まれた録画予約番組の放送時間になると（或いは放送時間の所定時間前になると）、この録画予約番組の放送チャンネルの選択を指示する。この指示に対応し、チューナ４９、５４、又は５２は、この録画予約番組の放送チャンネルを選択する。これにより、信号処理モジュール５１には、この録画予約番組の放送チャンネルの信号が入力される。さらに、制御モジュール６５は、信号処理モジュール５１に入力された録画予約番組の放送チャンネルの信号をＨＤＤ７８へ入力する。ＨＤＤ７８は、入力された録画予約番組の放送チャンネルの信号を記録する。
【００５５】
また、このとき、制御モジュール６５は、グループ化された番組の録画予約情報に基づき録画された録画番組のうちの最新の録画番組だけを残し、最新の録画番組以外の録画番組を削除する。これにより、グループ化された複数の番組の録画予約情報に基づき録画された録画番組は、常に、最新の録画番組だけとなる。そのため、グループ化された複数の番組の録画予約情報に基づき録画された録画番組の録画リストは表示できなくてもよい。なお、最新の録画番組以外の録画番組を削除せずに残し、録画番組の録画リストを表示できるようにしてもよい。これにより、録画番組の録画リストから見逃した最新以外の録画番組を選択することにより、見逃した最新以外の録画番組の視聴が可能となる。
【００５６】
ユーザが、リモートコントローラ１７（特殊再生キー１７ｑ）を介して再生（特殊再生）を指示すると、制御モジュール６５は、残された最新の録画番組の再生を制御する。つまり、制御モジュール６５は、残された最新の録画番組の音声データ及び映像データをＨＤＤ７８から受け取り、信号処理モジュール５１へ供給する。信号処理モジュール５１は、残された最新の録画番組の音声データを音声処理モジュール５９へ供給し、残された最新の録画番組の映像データをグラフィック処理モジュール５８へ供給する。これにより、残された最新の録画番組が再生される。
【００５７】
上記説明した通常予約録画再生処理によれば、映画、ドラマ、及びスポーツなど様々な番組を複数録画することができ、録画された複数の番組の中（録画リストの中）から、好みの番組を選択して再生することができる。つまり、今日録画した番組、昨日録画した番組、１週間前に録画した番組の中から、好みの番組を選択して再生することができる。
【００５８】
これに対して、最新番組録画再生処理は、ニュース及び天気予報など最新の情報が重要視される番組の録画に適する。そのため、最新番組録画再生処理では、最新の番組だけを残して、最新の番組以外の番組を削除する。そのため、録画リスト表示を省略することができ、特殊再生の指示に対応して、最新の番組を再生することができる。
【００５９】
なお、デジタルテレビジョン受像機１１は、通常予約録画再生処理及び最新番組録画再生処理の両者を区別して実行することができる。つまり、通常予約録画再生処理は、録画後に相当な時間が経過してからでも視聴する価値のある番組の処理に適しており、最新番組録画再生処理は、新しさが重要視される番組の処理に適している。
【００６０】
また、通常予約録画再生処理の録画時間と最新番組録画再生処理の録画時間とが重なっている場合には、例えば、通常予約録画再生処理の録画を優先する。
【００６１】
次に、図４を参照して、最新番組録画再生処理における録画状態及び再生履歴の案内表示について説明する。上記説明したように、最新番組録画再生処理では録画リスト表示を省略することができる。このため、録画リストを使って、これから再生しようとする番組の録画状態（録画中／録画完了）及び再生履歴（未再生／再生済み）を確認することができない場合がある。
【００６２】
そこで、最新番組録画再生処理では、再生前に録画状態を表示したり、再生履歴を表示したりする。そのために、最新番組録画再生処理では、録画状態、再生履歴、及び録画情報（録画日時情報等）を取得し記憶する（ステップＳ４１）。
【００６３】
例えば、制御モジュール６５は、番組Ａの録画中に対応して、番組Ａの映像信号及び音声信号に対応づけて録画中情報を含む録画状態情報を記録し、番組Ａの録画完了に対応して録画状態情報に含まれた録画中情報を録画完了情報へ更新する。また、制御モジュール６５は、番組Ａの録画に対応して、番組Ａの映像信号及び音声信号に対応付けて未再生情報を含む再生履歴情報を記録し、録画中の番組Ａ又は録画済みの番組Ａの再生に対応して再生履歴情報に含まれた未再生情報を再生済み情報へ更新する。
【００６４】
また、制御モジュール６５は、番組Ａの放送信号に含まれた番組情報に基づき録画情報を生成し、番組Ａの映像信号及び音声信号とともに録画情報を記録する。例えば、録画情報は、チャンネル番号、タイトル、放送日時情報（録画日時情報）を含む。なお、録画日時情報は、デジタルテレビジョン受像機１１が保持する現在時刻情報から生成するようにしてもよい。
【００６５】
ユーザが、リモートコントローラ１７（特殊再生キー１７ｑ）を介して最新録画番組再生を指示すると、制御モジュール６５は、最新の録画番組（例えば番組Ａ）の録画状態情報が録画中情報を含む場合には、録画中情報をＯＳＤ信号生成モジュール６１へ供給し、最新の録画番組（例えば番組Ａ）の録画情報に含まれた録画日時情報もＯＳＤ信号生成モジュール６１へ供給する。ＯＳＤ信号生成モジュール６１は、録画中情報及び録画日時情報に基づきＯＳＤ信号を生成し、ＯＳＤ信号をグラフィック処理モジュール５８へ供給する。グラフィック処理モジュール５８は、信号処理モジュール５１から供給される映像信号に、ＯＳＤ信号を重畳して出力する。これにより、図５に示すように、映像表示器１４には、録画中情報及び録画日時情報が表示される（ステップＳ４２）。
【００６６】
或いは、制御モジュール６５は、最新の録画番組（例えば番組Ａ）の録画状態情報が録画完了情報を含み、再生履歴情報が未再生情報を含む場合には、未再生情報をＯＳＤ信号生成モジュール６１へ供給し、最新の録画番組（例えば番組Ａ）の録画情報に含まれた録画日時情報もＯＳＤ信号生成モジュール６１へ供給する。ＯＳＤ信号生成モジュール６１は、未再生情報及び録画日時情報に基づきＯＳＤ信号を生成し、ＯＳＤ信号をグラフィック処理モジュール５８へ供給する。グラフィック処理モジュール５８は、信号処理モジュール５１から供給される映像信号に、ＯＳＤ信号を重畳して出力する。これにより、図６に示すように、映像表示器１４には、未再生情報（例えば「新」）及び録画日時情報が表示される（ステップＳ４２）。
【００６７】
或いは、制御モジュール６５は、最新の録画番組（例えば番組Ａ）の録画状態情報が録画完了情報を含み、再生履歴情報が再生済み情報を含む場合には、最新の録画番組（例えば番組Ａ）の録画情報に含まれた録画日時情報をＯＳＤ信号生成モジュール６１へ供給する。ＯＳＤ信号生成モジュール６１は、録画日時情報に基づきＯＳＤ信号を生成し、ＯＳＤ信号をグラフィック処理モジュール５８へ供給する。グラフィック処理モジュール５８は、信号処理モジュール５１から供給される映像信号に、ＯＳＤ信号を重畳して出力する。これにより、図７に示すように、映像表示器１４には、録画日時情報だけが表示される（ステップＳ４２）。
【００６８】
或いは、制御モジュール６５は、最新の録画番組（例えば番組Ａ）の録画状態情報が録画完了情報を含み、再生履歴情報が再生済み情報を含む場合には、再生済み情報をＯＳＤ信号生成モジュール６１へ供給し、最新の録画番組（例えば番組Ａ）の録画情報に含まれた録画日時情報もＯＳＤ信号生成モジュール６１へ供給する。ＯＳＤ信号生成モジュール６１は、再生済み情報及び録画日時情報に基づきＯＳＤ信号を生成し、ＯＳＤ信号をグラフィック処理モジュール５８へ供給する。グラフィック処理モジュール５８は、信号処理モジュール５１から供給される映像信号に、ＯＳＤ信号を重畳して出力する。これにより、図８に示すように、映像表示器１４には、再生済み情報（例えば「視聴済み」）及び録画日時情報が表示される（ステップＳ４２）。なお、制御モジュール６５が、再生日時情報を管理することにより、図８に示すように、再生日時を表示することもできる。
【００６９】
この後、制御モジュール６５は、最新の録画番組（例えば番組Ａ）の録画データを信号処理モジュール５１へ供給する。信号処理モジュール５１は、最新の録画番組の音声データを音声処理モジュール５９へ供給し、最新の録画番組の映像データをグラフィック処理モジュール５８へ供給する。これにより、最新の録画番組が再生される（ステップＳ４３）。
【００７０】
以上より、録画状態又は再生履歴が再生されてから、最新の録画番組（本編）が再生される。これにより、ユーザは、これから再生される最新の録画番組が録画中の番組なのか、未再生の番組なのか、再生済みの番組なのか、また再生済みの番組であればいつ再生したのかを知ることができる。
【００７１】
なお、上記した録画日時に加えて、録画番組のチャンネル番号、録画番組のタイトルを表示するようにしてもよい。これにより、再生前に、番組に関する各種情報を知ることができる。
【００７２】
また、録画情報を再生（表示）してから録画番組の本編を再生し、この本編の再生を一時停止又は停止してから再生を再開すると、再び、録画情報を再生（表示）してから本編の再生を再開する。これにより、本編の再生を一時停止又は停止してから時間が経過した場合でも、録画番組の再生とリアルタイムに放送されている番組の再生とを区別することができる。
【００７３】
なお、上記したモジュールとは、ハードウェアで実現するものであっても良いし、ＣＰＵ等を使ってソフトウェアで実現するものであってもよい。
【００７４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００７５】
【図１】この発明の一実施形態に係るデジタルテレビジョン受像機（録画再生装置）の外観と、このデジタルテレビジョン受像機を中心として構成されるネットワークシステムの一例を示す図である。
【図２】デジタルテレビジョン放送受信装置の主要な信号処理系を示す図である。
【図３】デジタルテレビジョン放送受信装置のリモートコントローラの外観の一例を示す図である。
【図４】最新番組録画再生処理の一例を示すフローチャートである。
【図５】再生開始画面の第１例を示す図である。
【図６】再生開始画面の第２例を示す図である。
【図７】再生開始画面の第３例を示す図である。
【図８】再生開始画面の第４例を示す図である。
【符号の説明】
【００７６】
１１…情報通信端末、１２…キャビネット、１３…支持台、１４…映像表示器、１５…スピーカ、１６…操作モジュール、１７…リモートコントローラ、１８…受光モジュール、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．Link端子、２６…ＨＤＤ、２７…ＡＶアンプ、２８…ＤＶＤレコーダ、２９…ＤＶＤプレーヤ、３０…ハブ、３１…ＡＶアンプ、３２…ＰＣ、３３…ＤＶＤレコーダ、３４…ＡＶアンプ、３５…ブロードバンドルータ、３６…ネットワーク、３７…ＰＣ、３８…携帯電話、３９…ハブ、４０…携帯電話、４１…デジタルカメラ、４２…カードリーダ／ライタ、４３…ＨＤＤ、４４…キーボード、４５…ＡＶ−ＨＤＤ、４６…Ｄ−ＶＨＳ、４３…ＤＶＤレコーダ、４４…ＤＶＤプレーヤ、４５…ＤＶＤプレーヤ、４６…ＨＤＤ、４７…アンテナ、４８…入力端子、４９…チューナ、５０…ＰＳＫ復調モジュール、５１…信号処理モジュール、５２…アンテナ、５３…入力端子、５４…チューナ、５５…ＯＦＤＭ復調モジュール、５６…チューナ、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６３…出力端子、６４…出力端子、６５…制御モジュール、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ。
【図１】
2010062842.tif 000003
【図２】
2010062842.tif 000004
【図３】
2010062842.tif 000005
【図４】
2010062842.tif 000006
【図５】
2010062842.tif 000007
【図６】
2010062842.tif 000008
【図７】
2010062842.tif 000009
【図８】
2010062842.tif 000010